(57)【特許請求の範囲】
【請求項１】
試料（ＥＯ）を観察するための方法であって、
ａ）０．００１より大きいまたはこれに等しい虚部ｋを有する複素屈折率を有する、コントラスト増幅層と呼ばれる少なくとも１つの層（ＣＡ）が堆積された透明基板（ＳＴ）を備える試料支持体（ＳＡＣ）を提供するステップと、
ｂ）観察される前記試料を、前記支持体上の前記コントラスト増幅層の側に置くステップと、
ｃ）前記試料に、前記基板を通し、偏光されない空間的インコヒーレントの、波長λまたは平均波長λの光ビーム（Ｆ）を照らすステップであって、前記光ビームは、２０°より大きいまたはこれに等しい開口半角θを有する照明コーンを形成するように集束されるステップと、
ｄ）前記試料を対物レンズ（ＬＯ）および前記基板を通して観察するステップと、を含み、
前記コントラスト増幅層は、前記試料が前記支持体の不在の場合よりも高いコントラストで、前記波長λまたは前記平均波長λで観察されるように寸法調整される、方法。
【請求項２】
前記虚部ｋが、０．０１より大きいまたはこれに等しい、請求項１に記載の試料を観察するための方法。
【請求項３】
前記コントラスト増幅層が、金属製である、請求項１または２に記載の試料を観察するための方法。
【請求項４】
前記照明コーンの開口半角が、２０°から７５°の間であり、
前記照明コーンの軸は、前記基板に対して垂直である、請求項１から３のいずれか一項に記載の試料を観察するための方法。
【請求項５】
前記照明コーンの開口半角が、３０°から７０°の間である、請求項４に記載の試料を観察するための方法。
【請求項６】
前記照明コーンの開口半角が、４０°から６５°の間である、請求項５に記載の試料を観察するための方法。
【請求項７】
前記対物レンズが、前記試料を照らしかつ観察するために使用される、請求項１から６のいずれか一項に記載の試料を観察するための方法。
【請求項８】
前記コントラスト増幅層および前記試料が、水中または水溶液中に浸漬される、請求項１から７のいずれか一項に記載の試料を観察するための方法。
【請求項９】
前記コントラスト増幅層が、厚さこう配を有する、請求項１から８のいずれか一項に記載の試料を観察するための方法。
【請求項１０】
前記コントラスト増幅層の前記厚さまたは局所的厚さが、少なくとも１つの照明波長に対して、前記照明コーン上に統合されたコントラストを最適化するように決定され、前記コントラストによって、前記コントラスト増幅層の前記厚さのバリエーションから構成された基準試料が観察される、請求項１から９のいずれか一項に記載の試料を観察するための方法。
【請求項１１】
前記コントラスト増幅層を寸法調整する事前ステップを含み、
前記事前ステップは、
−前記基準試料が観察されるコントラストを表す領域を、照明波長に対して正規化された前記層の前記厚さおよび前記照明ビームの前記開口半角θの関数として算出するステップと、
−前記開口半角θを表す軸に対してほぼ平行な配向を有する、前記領域の頂点または凹線を特定するステップと、
前記頂点または凹線に対応する、前記層の厚さの値、または値の範囲を特定するステップとを含み、
前記コントラスト増幅層の前記厚さまたは局所的厚さが、こうして特定された前記値に等しくまたは前記値の範囲内で選択される、請求項１０に記載の試料を観察するための方法。
【請求項１２】
前記試料支持体が、前記コントラスト増幅層の上方に、少なくとも１つの化学種または生物学的種（ＥＣＤ）を結合させることができる官能基化層（ＣＦ）を有し、
前記方法が、前記官能基化層を、結合される前記化学種または生物学種の溶液と接触させるステップであって、その結果、前記化学種または生物学的種が、前記官能基化層の上方に、観察される前記試料を構成する層（ＣＥ）を形成するステップを含む、請求項１から１１のいずれか一項に記載の試料を観察するための方法。
【請求項１３】
前記または少なくとも１つの化学種または生物学的種が、吸水性であり、０．０００１より大きいまたはこれに等しい虚部ｋを有する複素屈折率を有しており、または散乱性である、請求項１２に記載の方法。
【請求項１４】
前記官能基化層が、異なる化学種または生物学的種を結合させることができる複数のスポットの形態である、請求項１２または１３に記載の方法。
【請求項１５】
前記コントラスト層が、前記スポットに対応する位置においてのみ堆積される、請求項１４に記載の方法。
【請求項１６】
前記支持体が、前記スポットの外側に、前記溶液中に含まれたいかなる化学種または生物学的種の結合も防止する不動態化層を含む、請求項１４または１５に記載の方法。
【請求項１７】
少なくとも１つの化学種または生物学的種を検出する、または定量的に決定するための方法であって、
ａ）少なくとも１つの化学種または生物学的種を結合させることができる少なくとも１つの官能基化層（ＣＦ）が堆積された透明基板（ＳＴ）を提供するステップと、
ｂ）前記官能基化層を、金属ナノ粒子または吸収性もしくは散乱性のラベルで標識された化学種または生物学的種を含む少なくとも１つの溶液と接触させて置くステップであって、前記種が、前記官能基化層に、直接的、または１つまたは複数の他の化学種または生物学的種を用いて結合することができ、その結果、前記粒子は、連続的または非連続的な、金属製の、吸収性もしくは散乱性の層（ＣＭ）を形成する、ステップと、
ｃ）少なくとも前記官能基化層および金属製の、吸収性または散乱性の層から構成された組立体に、前記基板を通して、偏光されない空間的インコヒーレントの、波長λまたは平均波長λの光ビーム（Ｆ）を照らすステップであって、前記光ビーム（Ｆ）が、２０°より大きいまたはこれに等しい開口半角θを有する照明コーンを形成するように集束される、ステップと、
ｄ）前記組立体を、対物レンズ（ＬＯ）および前記基板を通して、前記波長λまたは前記平均波長λで観察するステップと、を含む、方法。
【請求項１８】
ステップｂ）中、前記官能基化層が、検出されるまたは定量的に決定される、金属ナノ粒子（ＮＰＭ）または吸水性もしくは散乱性のラベルで標識された化学種または生物学的種（ＥＣＤ）を含む溶液（Ｓ）と接触して置かれ、前記種は、前記官能基化層と結合し、それによって前記連続的または非連続的な金属層（ＣＭ）を形成することができる、請求項１７に記載の少なくとも１つの化学種または生物学的種を検出する、または定量的に決定するための方法。
【請求項１９】
前記ステップｂ）が、
ｂ１）前記官能基化層を、検出されるまたは定量的に決定される化学種または生物学的種を含む第１の溶液（Ｓ１）と接触させて置き、それによって「中間」層（ＣＩ）を形成するサブステップと、
ｂ２）前記中間層を、「補助的」化学種または生物学的種（ＥＣＡ）を含む第２の溶液（Ｓ２）と接触させて置くサブステップであって、前記「補助的」化学種または生物学的種が、金属ナノ粒子または吸水性もしくは散乱性のラベルで標識され、前記中間層と結合し、それによって前記連続的または非連続的な、金属製の、吸水性もしくは散乱性の層（ＣＭ）を形成することができるサブステップとを含む、請求項１７に記載の少なくとも１つの化学種または生物学的種を検出する、または定量的に決定するための方法。
【請求項２０】
前記ステップｂ）が、
ｂ１）前記官能基化層を、中間種（ＥＣＴ）と呼ばれる化学種または生物学的種を含む第１の溶液（Ｓ１）と接触させて置くサブステップであって、前記第１の化学種または生物学的種が、金属ナノ粒子または吸水性もしくは散乱性のラベルで標識され、前記官能基化層と結合し、それによって前記連続的または非連続的な、金属製の、吸水性もしくは散乱性の層（ＣＭ）を形成することができる、サブステップと、
ｂ２）前記官能基化層および前記金属性または吸収性もしくは散乱性の層を、検出されるまたは定量的に決定される前記化学種または生物学的種を含む第２の溶液（Ｓ２）と接触させて置くサブステップであって、前記第２の溶液が、前記中間種のものより大きい前記官能基化層との親和性を有し、その結果、前記中間種は変位され、前記金属性の、吸収性または散乱性の層は、少なくとも部分的に無くされるサブステップとを含む、請求項１７に記載の少なくとも１つの化学種または生物学的種を検出する、または定量的に決定するための方法。
【請求項２１】
前記ステップｂ）中、前記官能基化層が、定量的に決定される前記化学種または生物学的種、および前記競合の化学種または生物学的種（ＥＣＣ）も含む溶液（Ｓ）と接触して置かれ、前記２つの種のうち１つは、金属ナノ粒子または吸収性もしくは散乱性のラベルで標識され、その結果、連続的または非連続的な金属製の、吸水性もしくは散乱性の層（ＣＭ）が得られ、その有効厚さは、前記競合の化学種または生物学的種の濃度と、定量的に決定される前記化学種または生物学的種のものとの間の比によって決まる、請求項１７に記載の少なくとも１つの化学種または生物学的種を定量的に決定するための方法。
【請求項２２】
前記照明コーンの前記開口半角が、２０°から７５°の間であり、前記コーンの軸が、前記基板に対して垂直である、請求項１７から２１のいずれか一項に記載の検出する、または定量的に決定するための方法。
【請求項２３】
前記照明コーンの前記開口半角が、３０°から７０°の間である、請求項２２に記載の検出する、または定量的に決定するための方法。
【請求項２４】
前記照明コーンの前記開口半角が、４０°から６５°の間である、請求項２３に記載の検出する、または定量的に決定するための方法。
【請求項２５】
前記同じ対物レンズが、前記組立体を照らし、観察するために使用される、請求項１７から２４のいずれか一項に記載の検出する、または定量的に決定するための方法。
【請求項２６】
前記官能基化層が、前記基板の表面上に置かれた複数のスポットの形態であり、異なる化学種または生物学的種を結合させることができる、請求項１７から２５のいずれか一項に記載の検出する、または定量的に決定するための方法。
【請求項２７】
０．００１より大きいまたはこれに等しい虚部ｋを有する複素屈折率を有するコントラスト増幅層と呼ばれるものが、前記基板と前記官能基化層の間に間置される、請求項１７から２６のいずれか一項に記載の検出する、または定量的に決定するための方法。
【請求項２８】
前記虚部ｋが、０．０１より大きいまたはこれに等しい、請求項２７に記載の検出する、または定量的に決定するための方法。
【請求項２９】
前記支持体が、前記スポットの外側に、前記溶液中に含まれたいかなる化学種または生物学的種の結合も防止する不動態化層を含む、請求項２６から２８のいずれか一項に記載の方法。 
【発明の詳細な説明】
【技術分野】
【０００１】
本発明は、試料を観察するための光学的方法に関し、化学種または生物学的種を検出し、定量的に決定するための光学的方法にも関する。これらの方法は、新規に発見された同じ原理に基づく。
【背景技術】
【０００２】
本発明は、生物学（生体分子または微生物の検出、細胞培養の観察）、ナノ技術（ナノチューブなどのナノ物体の視覚化）、ミクロ電子工学、材料化学などのさまざまな技術分野に適用されることが可能である。これらの分野の一部では、これは、ＳＰＲ（表面プラズモン共鳴）、ＬＳＰＲ（局在化ＳＰＲ）、およびＳＥＲＳ（表面増感ラマン分光法）技術などの表面プラズモンに基づく従来の検出技術の代替策を構成することができる。これらの従来の技術の説明のために、Ｍ．Ｅ．Ｓｔｅｗａｒｔらによる「Ｎａｎｏｓｔｒｕｃｔｕｒｅｄ  Ｐｌａｓｍｏｎｉｃ  Ｓｅｎｓｏｒｓ」、Ｃｈｅｍ．Ｒｅｖ．２００８年、１０８、４９４−５２１の記事、およびＳ．Ａ．Ｍｅｙｅｒらによる「Ｃｏｍｂｉｎｉｎｇ  Ｓｕｒｆａｃｅ  Ｐｌａｓｍｏｎ  Ｒｅｓｏｎａｎｃｅ（ＳＰＲ）  Ｓｐｅｃｔｒｏｓｃｏｐｙ  ｗｉｔｈ  Ｓｕｒｆａｃｅ−Ｅｎｈａｎｃｅｄ  Ｒａｍａｎ  Ｓｃａｔｔｅｒｉｎｇ  （ＳＥＲＳ）」、Ａｎａｌ．Ｃｈｅｍ．２０１１年、８３、２３３７−２３４４の記事に参照がなされ得る。
【０００３】
これらの技術の限界は、たとえば、バイオチップの密度を増大させるのに有用である高い空間分解能を得ることが難しいという事実からなる。その理由は、これらの技術が、官能基化された金属層を使用し、この金属層は、平行になった、したがって集束されない光ビームによって照らされなければならず、さもなければかなりのコントラスト損失が存在するためである（Ｓ．Ａ．Ｍｅｙｅｒらによる上述した記事を参照）。したがって、光学顕微鏡法下で従来のプラズモンセンサを照らし、観察することは可能でない。平行な照明ビームと共に使用される他のプラズモン画像化技術は、すべての場合において、数十ミクロンに限定される分解能を有する。たとえば、Ｃｈａｒｌｅｓ  Ｔ．Ｃａｍｐｂｅｌｌ、ＧｉｂｕｍＫｉｍの「ＳＰＲ  ｍｉｃｒｏｓｃｏｐｙ  ａｎｄ  ｉｔｓ  ａｐｐｌｉｃａｔｉｏｎｓ  ｔｏ  ｈｉｇｈ−ｔｈｒｏｕｇｈｐｕｔ  ａｎａｌｙｓｅｓ  ｏｆ  ｂｉｏｍｏｌｅｃｕｌａｒ  ｂｉｎｄｉｎｇ  ｅｖｅｎｔｓ  ａｎｄ  ｔｈｅｉｒ  ｋｉｎｅｔｉｃｓ」、Ｂｉｏｍａｔｅｒｉａｌｓ  ２８、（２００７年）２３８０−２３９２を参照。
【０００４】
特許文献の国際公開第２００４／００１３９９号パンフレット、ならびにＤ．ＡｕｓｓｅｒｒｅおよびＭ．Ｐ．Ｖａｌｉｇｎａｔによる「Ｓｕｒｆａｃｅ  ｅｎｈａｎｃｅｄ  ｅｌｌｉｐｓｏｍｅｔｒｉｃ  ｃｏｎｔｒａｓｔ（ＳＥＥＣ）  ｂａｓｉｃ  ｔｈｅｏｒｙ  ａｎｄ  λ／４  ｍｕｌｔｉｌａｙｅｒｅｄ  ｓｏｌｕｔｉｏｎｓ」、Ｏｐｔｉｃｓ  Ｅｘｐｒｅｓｓ、Ｖｏｌ．１５，Ｎｏ．１３、２００７年、７月２５日による記事は、「表面増強された偏光解析コントラスト」またはＳＥＥＣとして知られている高コントラストの光学顕微鏡法技術を説明しており、これは図１に示される。この技術によれば、観察される試料ＥＯは、通常は反射基板である基板ＳＲと、反射防止層または多層構造ＣＡとを備えるコントラスト増幅支持体ＳＡＣ’上に堆積される。試料およびその支持体から構成された組立体は、偏光板Ｐによって線形に偏光された空間的インコヒーレント光ビームＦによって照らされる。ビームＦは環状でよく、いずれの場合も、これは、対物レンズＬＯによって支持体−試料組立体上に集束され、その伝搬軸は、前記支持体の表面に対して垂直である。環状ビームＦの場合、光線は、支持体の法線と共に、θ最小からθ最大の間の入射角度を形成し、ビームが環状でない場合、θ最小→０°である。観察は、偏光分析器Ａによって行われ、この偏光分析器Ａは、通常、その偏光軸がビームＦの偏光の方向に対して垂直であるように配向される（そのため、これは、偏光板Ｐおよび分析器Ａが交差されると言われる）。有利には、対物レンズＬＯはまた、観察にも使用される。こうして、前記対物レンズならびに偏光板および分析器は、偏光式顕微鏡を形成する。
【０００５】
反射防止層または多層構造ＣＡは、支持体ＳＡＣ’によって反射されて分析器Ａを通過する光強度を最小限に抑えるように、または理想的には打ち消すように寸法調整される。通常は、透明である物体は、消光状態を妨げ、したがって、黒色背景上に発光形態として現れる。
【０００６】
厳密に言えば、消光状態は、単一の入射角度θ０に対して満たされ、これは、θ最小＝θ最大＝θ０を有する環状照明に対応するが、明らかなことに、これらの状態下では、光強度はゼロ方向の傾向がある。最も現実的には、θ最大−θ最小の間隔は、約５°になるように選択され得る。変形形態として、上述した文献は、「円錐」照明（すなわち、θ最小＝０°によって特徴付けられる非環状照明）に頼ることを可能にし、このときθ最大は、場合によっては２０°または３０°にも達する。この場合、支持体ＳＡＣ’は、平均入射角度に基づいて寸法調整される。
【０００７】
これらの状態下では、照明状態の選択は、妥協点となり、全体的に満足するものにはなり得ない。その理由は、
−環状照明は、実施が難しく、θ最大−θ最小の間隔が小さくなるほど一層弱くなる光強度を含むため、
−消光は、実際には単一の入射角度においてのみ得られるため、約２０°またはそれ以上のθ最大を有する強収束の円錐照明の結果、コントラストは弱くなるため、
−弱収束円錐照明は、対物レンズの開口が小さく、それによって試料が観察される空間分解能を限定することを伴うため、である。
【０００８】
ＳＰＲ技術のように、ＳＥＥＣ方法は、生物学的または生物化学的分析に適用され得る。たとえば、支持体ＳＡＣ’は、ペトリ皿の底部を構成することができ、この場合、観察は、通常、培養培地内の浸漬によって行われなければならないが、これは時には難しい。
【０００９】
特許文献の国際公開第０２／５０５１３号パンフレットは、ＳＥＥＣ技術を、空間分解能による偏光解析測定の実施および生物学的センサの製作にも適用することを説明している。この場合もまた、高い空間分解能および満足のいくコントラストの両方を得ることは難しく、さらに、観察は、特に、生物学または生物化学学への適用に関して時には難しい。
【先行技術文献】
【特許文献】
【００１０】
【特許文献１】国際公開第２００４／００１３９９号パンフレット
【特許文献２】国際公開第０２／５０５１３号パンフレット
【非特許文献】
【００１１】
【非特許文献１】Ｍ．Ｅ．Ｓｔｅｗａｒｔらの「Ｎａｎｏｓｔｒｕｃｔｕｒｅｄ  Ｐｌａｓｍｏｎｉｃ  Ｓｅｎｓｏｒｓ」、Ｃｈｅｍ．Ｒｅｖ．２００８年、１０８，４９４−５２１
【非特許文献２】Ｓ．Ａ．Ｍｅｙｅｒらの「Ｃｏｍｂｉｎｉｎｇ  Ｓｕｒｆａｃｅ  Ｐｌａｓｍｏｎ  Ｒｅｓｏｎａｎｃｅ（ＳＰＲ）  Ｓｐｅｃｔｒｏｓｃｏｐｙ  ｗｉｔｈ  Ｓｕｒｆａｃｅ−Ｅｎｈａｎｃｅｄ  Ｒａｍａｎ  Ｓｃａｔｔｅｒｉｎｇ（ＳＥＲＳ）」、Ａｎａｌ．Ｃｈｅｍ．２０１１年，８３，２３３７−２３４４
【非特許文献３】ＣｈａｒｌｅｓＴ．Ｃａｍｐｂｅｌｌ，ＧｉｂｕｍＫｉｍの「ＳＰＲ  ｍｉｃｒｏｓｃｏｐｙ  ａｎｄ  ｉｔｓ  ａｐｐｌｉｃａｔｉｏｎｓ  ｔｏ  ｈｉｇｈ−ｈｒｏｕｇｈｐｕｔ  ａｎａｌｙｓｅｓ  ｏｆ  ｂｉｏｍｏｌｅｃｕｌａｒ  ｂｉｎｄｉｎｇ  ｅｖｅｎｔｓ  ａｎｄ  ｔｈｅｉｒ  ｋｉｎｅｔｉｃｓ」、Ｂｉｏｍａｔｅｒｉａｌｓ２８、（２００７年）２３８０−２３９２
【非特許文献４】Ｄ．ＡｕｓｓｅｒｒｅおよびＭ．Ｐ．Ｖａｌｉｇｎａｔによる「Ｓｕｒｆａｃｅ  ｅｎｈａｎｃｅｄ  ｅｌｌｉｐｓｏｍｅｔｒｉｃ  ｃｏｎｔｒａｓｔ（ＳＥＥＣ）  ｂａｓｉｃ  ｔｈｅｏｒｙ  ａｎｄ  λ／４  ｍｕｌｔｉｌａｙｅｒｅｄ  ｓｏｌｕｔｉｏｎｓ」、Ｏｐｔｉｃｓ  Ｅｘｐｒｅｓｓ，Ｖｏｌ．１５，Ｎｏ．１３、２００７年、７月２５日
【非特許文献５】Ｇｕａｎｇｂｉｎ  Ｗａｎｇ、ＦｕｘｉＧａｎの「Ｏｐｔｉｃａｌ  ｐａｒａｍｅｔｅｒｓ  ａｎｄ  ａｂｓｏｒｐｔｉｏｎ  ｓｔｕｄｉｅｓ  ｏｆ  ａｚｏｄｙｅ−ｄｏｐｅｄ  ｐｏｌｙｍｅｒｔｈｉｎ  ｆｉｌｍｓ  ｏｎ  ｓｉｌｉｃｏｎ」Ｍａｔｅｒｉａｌｓ  Ｌｅｔｔｅｒｓ  ４３  ２０００年、６−１０
【発明の概要】
【発明が解決しようとする課題】
【００１２】
本発明は、上述した従来技術の欠点を改めることを目的とする。これを行うために、これは、本発明者によって新しく発見された効果に基づく。実際、後者は、薄い物体（通常はナノメートル厚さの層）が、透明基板と、金属製のまたはより一般的には吸収性のコーティングとを備える支持体上に堆積され、次いで、反転形状の顕微鏡下で（すなわち、基板を通した照明および観察によって）観察され、これは、コーティングの厚さの特定の値に対して、顕微鏡の開口数の、前記開口の幅広い範囲のバリエーションとは事実上無関係に、相対的に高いコントラストを生み出す。驚くべきことに、この効果は、偏光された光（互いに交差される偏光板および分析器を通した観察）下、および偏光されない光下の両方で認められる。偏光された光の使用は、特定の状態下では、コントラスの増大を可能にするが、偏光されない光の使用は、偏光板および分析器によって引き起こされた光の損失を回避し、方法の実施を簡易化し、より一様である画像を得ることを可能にする。
【課題を解決するための手段】
【００１３】
したがって、本発明の手段は、試料を観察するための方法であって、
ａ）０．００１より大きいまたはこれに等しい、好ましくは０．０１１より大きいまたはこれに等しい虚部ｋを有する複素屈折率を有する、コントラスト増幅層と呼ばれる少なくとも１つの層が堆積された透明基板を備える試料支持体を提供するステップと、
ｂ）観察される試料を、前記支持体上の、前記コントラスト増幅層の側に置くステップと、
ｃ）前記試料上に、前記基板を通し、偏光されたまたは偏光されない空間的インコヒーレント光ビームを方向付けるステップであって、空間的インコヒーレント光ビームは、２０度（°）より大きいまたはこれに等しい開口半角θを有する照明コーンを形成するように集束される、ステップと、
ｄ）前記試料を対物レンズおよび前記基板を通して観察するステップとを含み、
前記コントラスト増幅層は、前記試料が、前記支持体の不在の場合よりも高いコントラストで観察されるように寸法調整される、方法である。
【００１４】
偏光された光下の、たとえば、互いに交差される偏光板と分析器の間の観察も可能である。
【００１５】
観察は、裸眼またはＣＣＤマトリクスなどの画像センサで実施され得る。試料の一部分によって反射された光強度だけが、（たとえばバイオチップタイプの用途などで）測定されなければならない場合、観察は、光電子増倍管または光ダイオードなどの光検出器を用いて実施され得る。
【００１６】
そのようなプロセスのさまざまな実施形態によれば、
−前記増幅層は、金属性でよい。本発明によるコントラスト増幅層を生成するのに適し得る他の吸収性材料は、半導体、金属酸化物、金属および／または半導体の合金、染料が装填された誘電体（特に感光性ポリマーまたは樹脂）、高分子電解質（電荷に関連付けられた金属対イオンに因る）、蛍光性物質、ナノ粒子フィルム、これらの構成物の混合物からの形成された複合材料、特に吸収性ナノ粒子が装填された誘電体である。染料またはナノ粒子が装填された誘電体層の使用は、これが、ｋを、染料またはナノ粒子それぞれの濃度を調整することによって固定されたｎに調製することを可能にするので、特に有利な選択肢を構成する。この点において、Ｇｕａｎｇｂｉｎ  Ｗａｎｇ、ＦｕｘｉＧａｎの「Ｏｐｔｉｃａｌ  ｐａｒａｍｅｔｅｒｓ  ａｎｄ  ａｂｓｏｒｐｔｉｏｎ  ｓｔｕｄｉｅｓ  ｏｆ  ａｚｏ  ｄｙｅ−ｄｏｐｅｄ  ｐｏｌｙｍｅｒ  ｔｈｉｎ  ｆｉｌｍｓ  ｏｎ  ｓｉｌｉｃｏｎ」  Ｍａｔｅｒｉａｌｓ  Ｌｅｔｔｅｒｓ  ４３  ２０００年、６−１０を参照されたい。別の興味深いケースは、散乱による損失のために、散乱中心のサイズおよび密度を介して調整可能である有意のｋを有する散乱媒体からなる。
【００１７】
−前記照明コーンの開口半角は、２０°から７５°の間、好ましくは３０°から７０°の間、より好ましくは４０°から６５°の間になることができ、前記コーンの軸は、前記基板に対して垂直である。
【００１８】
−前記対物レンズは、前記試料を照らし、観察するための両方に使用され得る。
【００１９】
−前記コントラスト増幅層および前記試料は、水または水溶液に浸漬され得る。
【００２０】
−前記コントラスト増幅層は、厚さこう配を有することができる。
【００２１】
−前記コントラスト増幅層の厚さまたは局所的厚さは、照明の少なくとも１つの波長に対して、前記照明コーン上に統合されたコントラストを最適化するように決定されることが可能であり、このコントラストを用いて、前記コントラスト増幅層の厚さのバリエーションからなる基準試料が、観察される。
【００２２】
−方法は、前記コントラスト増幅層を寸法調整する事前ステップであって、
−前記基準試料が観察されるコントラストを表す領域を、照明波長に対して正規化された前記層の厚さおよび照明ビームの開口半角θの関数として（通常はコンピュータを用いて）算出するステップと、
−前記領域の、前記開口半角θを表す軸に対してほぼ平行な配向を有する、頂点または凹線を特定するステップと、
−前記頂点または凹線に対応する、前記層の厚さの値、または値の範囲を特定するステップとを含み、
前記コントラスト増幅層の厚さまたは局所的厚さが、こうして特定された値に等しくまたはその値範囲内で選択される、事前ステップを含むことができる。
【００２３】
凹線は、谷の底線として定義されることが想起される。
【００２４】
−前記試料支持体は、前記コントラスト増幅層の上方に、少なくとも１つの化学種または生物学的種を結合させることができる官能基化層を有することができ、方法はまた、前記官能基化層を、結合される前記化学種または生物学的種の溶液に接触させるステップであって、その結果、前記化学種または生物学種が、前記官能基化層の上方に、観察される試料を構成する層を形成する、ステップも含む。コントラストは、前記化学種または生物学的種が、吸収性であり、０．０００１より大きいまたはこれに等しい虚部ｋを有する複素屈折率を有する場合に、または散乱性である場合により良好である。官能基化層は、異なる化学種または生物学種を結合させることができる複数のスポットの形態でよく、この場合、前記コントラスト層が、前記スポットに対応する位置にのみ堆積されることおよび／または前記支持体が、前記スポットの外側に、前記溶液中に含まれたいかなる化学種または生物学的種の結合も防止する不動態化層を含むことが好ましい。
【００２５】
−好ましくは、前記空間的インコヒーレント光ビームは、偏光されない。
【００２６】
本発明の別の主題は、少なくとも１つの化学種または生物学的種を検出する、または定量的に決定するための方法であって、
ａ）少なくとも１つの化学種または生物学的種を結合させることができる少なくとも１つの官能基化層が堆積された透明基板を提供するステップと、
ｂ）前記官能基化層を、金属ナノ粒子または吸収性ラベルで標識された（すなわち、任意選択では、少なくとも１つの照明波長に対して吸収性である）化学種または生物学的種を含む少なくとも１つの溶液と接触させて置くステップであって、前記種が、前記官能基化層に、直接的、または１つまたは複数の他の化学種または生物学的種を用いて結合することができ、その結果、前記粒子は、連続的または非連続的な、吸収性もしくは散乱性の金属層を形成する、ステップと、
ｃ）少なくとも前記官能基化層および金属製の、吸収性または散乱性の層から構成された組立体上に、前記基板を通して、空間的インコヒーレント、好ましくは偏光されない光ビームを向けるステップであって、この光ビームが、２０°より大きいまたはこれに等しい開口半角θを有する照明コーンを形成するように集束される、ステップと、
ｄ）前記組立体を、対物レンズおよび前記基板を通して観察するステップとを含む方法である。
【００２７】
吸水性または散乱性の金属層は、ここでは、コントラスト増幅層および試料層の両方として作用し、その存在または不在、および厚さのそのバリエーションまたは有効厚さは、比較的高いコントラストで視覚化され、それによって前記化学的種または生物学的種の存在を検出し、ならびに／またはその濃度を測定する（定量的決定）ことが可能になる。
【００２８】
偏光された光下の、たとえば互いに交差される偏光板と分析器の間の観察もまた可能であり、層の寸法調整は、同じようにして実施されるが、通常は、異なる厚さの層を生じさせ、屈折率に関して異なる状態を伴う。同様に、照明光ビームを集束させず、および／または対物レンズを通した観察を実施しないことも可能であるが、その結果、空間分解能の損失を生み出す。
【００２９】
そのような方法の第１の実施形態によれば、ステップ（ｂ）中、前記官能基化層は、検出されるまたは定量的に決定される、金属ナノ粒子または吸水性もしくは散乱性のラベルで標識された化学種または生物学的種を含む溶液と接触して置かれ、前記種は、前記官能基化層と結合し、それによって前記連続的または非連続的な金属層を形成することができる。
【００３０】
そのような方法の第２の実施形態によれば、前記ステップｂ）は、
ｂ１）前記官能基化層を、検出されるまたは定量的に決定される化学種または生物学的種を含む第１の溶液と接触させて置き、それによって「中間」層を形成する、サブステップと、
ｂ２）前記中間層を、「補助的」化学種または生物学的種を含む第２の溶液を含む第２の溶液と接触させて置くサブステップであって、「補助的」化学種または生物学的種が、金属ナノ粒子または吸水性ラベルで標識され、前記中間層と結合し、それによって前記連続的または非連続的な、吸収性もしくは散乱性の金属層を形成することができる、サブステップとを含む。
【００３１】
そのような方法の第３の実施形態によれば、前記ステップｂ）は、
ｂ１）前記官能基化層を、中間種と呼ばれる化学種または生物学的種を含む第１の溶液と接触させて置くサブステップであって、この化学種または生物学的種が、金属ナノ粒子または吸水性もしくは散乱性のラベルで標識され、前記官能基化層と結合し、それによって前記連続的または非連続的な、金属製のまたは吸水性の層を形成することができる、サブステップと、
ｂ２）前記官能基化層および前記金属性または吸収性の層を、検出されるまたは定量的に決定される前記化学種または生物学的種を含む第２の溶液と接触させて置くサブステップであって、第２の溶液が、前記中間種のものより大きい前記官能基化層との親和性を有し、その結果、前記中間種は変位され、前記金属性の、吸収性または散乱性の層は、少なくとも部分的に無くされる、サブステップとを含む。
【００３２】
そのような方法の第４の実施形態によれば、前記ステップｂ）中、前記官能基化層は、定量的に決定される化学種または生物学的種、および前記競合の化学種または生物学的種も含む溶液と接触して置かれ、２つの種のうち１つは、金属ナノ粒子または吸収性または散乱性のラベルで標識され、その結果、連続的または非連続的な金属製または吸収性の層が得られ、その有効屈折率および有効厚さは、前記競合の化学種または生物学的種の濃度と、定量的に決定される前記化学種または生物学的種のものとの間の比によって決まる。
【００３３】
前記照明コーンの開口半角は、有利には、２０°から７５°の間、好ましくは３０°から７０°の間、好ましくは４０°から６５°の間でよく、前記コーンの軸は、前記基板に対して垂直である。
【００３４】
同じ対物レンズが、前記試料を照らし、観察するために使用され得る。
【００３５】
有利には、０．００１より大きい、またはこれに等しい、好ましくは０．０１より大きいまたはこれに等しい虚部ｋを有する複素屈折率を有する「コントラスト増幅」層が、前記基板と前記官能基化層の間に間置され得る。
【００３６】
前記官能基化層は、前記基板の表面上に置かれた複数のスポットの形態でよく、異なる化学種または生物学的種（バイオチップ）を結合させることができる。対物レンズを通した観察により、特に濃いバイオチップを活用することが可能になる。有利には、前記支持体は、前記スポットの外側に、前記溶液中に含まれたいかなる化学種または生物学的種の結合も防止する不動態化層を含むことができる。
【００３７】
−好ましくは、前記空間的インコヒーレント光ビームは、偏光されない。
【００３８】
本発明の他の特性、詳細、および利点は、例としてあげられ、それぞれ以下に描写する付属の図を参照して、与えられた説明を読み取ることで明らかになろう。
【図面の簡単な説明】
【００３９】
【図１】従来技術から知られているＳＥＥＣ技術を示す、上記で説明した図である。
【図２】本発明の１つの実施形態による、試料を観察するための方法を実施するための光学組立体を示す図である。
【図３】本発明を実施するのに適した試料支持体の平面ｎ−ｋ内のコントラスト反転線の図である（ｎは、コントラスト増幅層の屈折率の実部であり、ｋはその虚部である）。
【図（４−１）−（４−５６）】基準試料が観察されるコントラストを表す領域を、照明コーンの半角θ、および波長に対して正規化された、コントラスト増幅層の厚さｅ／λ（多色照明の場合、λは平均波長である）の関数として示す図であり、各々の図は、（ｎ、ｋ）対によって特徴付けられる異なる材料に対応する。
【図５】平面ｎ−ｋ内の図４−１から図４−５６の材料を位置特定する図である。
【図６】さまざまな照明波長における、平面ｎ−ｋ内の金の層を位置特定する図である。
【図７】厚さこう配を有するコントラスト増幅層を表す図である。
【図８】官能基化されたコントラスト増幅層を表す図である。
【図９】本発明による、少なくとも１つの化学種または生物学的種を検出し、または定量的に決定するための方法の第１の実施形態を示す図である。
【図１０】本発明による、少なくとも１つの化学種または生物学的種を検出し、または定量的に決定するための方法の第２の実施形態を示す図である。
【図１１】本発明による、少なくとも１つの化学種または生物学的種を検出し、または定量的に決定するための方法の第３の実施形態を示す図である。
【図１２】本発明による、少なくとも１つの化学種または生物学的種を検出し、または定量的に決定するための方法の第４の実施形態を示す図である。
【発明を実施するための形態】
【００４０】
従来の反射防止層は、λ／４ｎ１（λは、真空内の光の波長であり、ｎ１は、実数であると推定される層の屈折率である）に等しい厚さと、関係（１）によって表わされる屈折率とを有し、この場合ｎ２は、層が堆積される基板の屈折率であり、ｎ０は、この層の上方にある媒体（たとえば空気）の屈折率である。指数ｎ０およびｎ２は、ｎ１のように実数であると考えられる。
【００４１】
0006294880.tif 000002
【００４２】
反射防止層が堆積される基板は、コントラスト増幅支持体として使用され得るが、光学顕微鏡下の低コントラストの物体の観察にはあまり適していないことが判明している。ＳＥＥＣ技術は、反射抑制状態を改変し、それによって、これを偏光された光下の、偏光分析器を通した観察の場合に適合させるが、これは、上記で論じたように、この抑制を非常に部分的に克服することしか可能にしない。
【００４３】
非常に幅広い範囲の照明光の入射角度において（したがって多数の開口数を備えた顕微鏡下で）満足のいくコントラスト増幅を得るために、本発明は、追加の自由度、すなわち吸水性または金属製の層の使用に伴う、屈折率の虚部ｋを活用することを提案する。
【００４４】
薄い層ＣＡの図２に示す場合が考慮され、この薄い層ＣＡは、虚成分が小さくはない、たとえば０．００１より大きい屈折率
0006294880.tif 000003
を有し（正のｋ１がそれによって吸収に対応する変換が、もたらされる）、実指数ｎ２を有するたとえばガラス製である透明基板ＳＴ上に堆積され、実指数ｎ０を有する周囲媒体ＭＡたとえば空気または水中に浸漬される。非限定的な例として、金属製層の場合が、考慮される。透明材料（実指数）の小さい厚さ（ナノメートル）から構成された基準試料ＥＯが、金属層上に置かれる。支持体ＳＡＣ（基板および金属層）および試料から構成された組立体は、開口数ｎ０・ｓｉｎθを有する対物レンズＬおよび基板を通して照らされ、観察される。任意選択で、油Ｈの滴が、対物レンズと周囲媒体の間、および周囲媒体と基板の間の寄生反射を最小限に抑えるために使用され得る。あるいは、基板の正面が、照明スペクトラム、または照明スペクトラムの有用部分を覆う反射防止処理で覆われてよい。
【００４５】
従来の反射防止基板（ｋ１＝０）の場合のように、試料が可視化されるコントラストは、主に複素指数および層の厚さによって決まり、より詳細には、厚さの関数として標識された極値を有する。この極値自体は、極限値をとり、層の複素指数
0006294880.tif 000004
の実部および虚部が、関係（２）を満たすとすぐに符号を変更する。
【００４６】
ｎ１２−ｋ１２＝ｎ０ｎ２    （２）
【００４７】
関係（２）は、複素屈折率を有する層の場合の関係（１）の一般化であると考えられ得る。
【００４８】
ｎ０およびｎ２が固定されるとき、表面の反射性は、角度θ、λ（波長）、ｎ１およびｋ１によってのみ決まる。これは、（明確には、波長λを含まず、媒体の指数および角度のみを含む）フレネル係数および（比ｅ１／λを通してのみ含まれる）層の厚さｅ１の関数として表されるため、無彩色基準物体のコントラストを、ｎ１、ｋ１、およびｅ１／λの関数として算出することが可能であり、この算出は、すべての金属物およびすべての波長に対して有効である。したがって、金属物（またはより一般的には複素屈折率を有する材料）を変更することによって、層厚さを変更することによって、または波長を変更することによって作動点を調整することが可能である。
【００４９】
図３では、単一の傾斜を有する直線は、状態ｋ１＝ｎ１に対応する。直線の上方の、Ｍでマークされた領域は、金属製材料に対応し、一方で下方の、ＮＭでマークされた領域は、非金属製材料に対応する。曲線ＩＣは、公式（２）によって定義され、コントラスト反転状態に対応する。この曲線の上方（領域ＣＮ）では、コントラストは負であり、これは、試料が、明るい背景上に暗く現れることを意味し、下方（領域ＣＰ）では、コントラストは正であり、これは、試料が、暗い背景上に明るく現れることを意味する。曲線は、ｎ０＝１．５１４およびｎ２＝１．３３に対して算出されている。
【００５０】
基準試料が観察されるコントラストを表す領域（図４１−１から図４１−５６）を、θおよびｅ／λの関数として、曲線ＩＣの両側にその近位に配置された複数の対（ｎ１、ｋ１）に対してプロットすることが有利であり、これは、図５に示される。図４−１から４−５６では、これらの領域のほとんどが、角度θの代表軸にしたがって実質的に位置合わせされた谷部（負のコントラストの場合）または「畝部」（正のコントラストの場合）を有することが観察され得る。これは、臨界厚さ（ｅ／λ）ｃと呼ばれる、（畝部の頂点および谷部の底部、すなわち凹線に対応する）正規化された厚さｅ／λの定義された値に対して、コントラストは最大値を有し、この最大値は、この角度θが、定義された範囲（たいていは０°から４０〜５０°に及ぶ）内に維持される限り、この角度に依存せず、またはわずかしか依存しないことを意味する。これは、正規化された厚さの前記臨界値（ｅ／λ）ｃに対して、対物レンズを通した照明および観察が、たとえば、ＳＥＥＣ技術のようにコントラストの著しい損失を招かないことを意味する。値ｅ／λは、照明コーン内に含まれる入射角度のすべてにおける統合されたコントラストを（絶対値で）最大限にする。コントラスト値は、１０％以上から１０００分の２〜３程度まで変動し得るが、これは依然として活用できる。図４−１から図４−５６の場合、ｎ０＝１．５１４およびｎ２＝１．３３が選択され、これは、ガラス基板および水中の浸漬による観察に対応する。通常、臨界厚さは、基板の光学指数に伴って増大する。
【００５１】
実験的に、臨界厚さ（ｅ／λ）ｃをコントラスト増幅層の指数の虚部にリンクさせる関係が、以下の形態（３）によって記述することができ、この場合、Ｃはここで考慮される例では０．０１である定数である。依然として、所与の用途に対して、許容可能な開口数（頂点または凹線の長さ）とコントラスト（頂点の高さまたは谷部の深さ）との間の最適な妥協点を選択するために使用され得る、自由な寸法調整のパラメータｎ１が存在する。実際、（ｎ１、ｋ１）の対がコントラスト反転線に近くなるほど、コントラストは、低開口において（または入射の所定の角度に対して）より高くなるが、これは、より迅速に対物レンズの開口数によって制限されなくなる。
【００５２】
（ｅ／λ）ｃ＝Ｃ／ｋ    （３）
【００５３】
頂点または凹線はまた、（互いに交差される偏光板と分析器の間、またはいずれの場合も、これらの間に角度を形成する）偏光された光下および特にｋ１＞ｎ１に対する観察の場合にも観察されるが、臨界厚さおよび屈折率を互いにリンクさせる状態は、偏光されない光下での観察の場合とは異なる。
【００５４】
図７に示すように、厚さこう配を有するコントラスト増幅層を有する支持体を使用することが可能である。状態（３）は、少なくとも１つの照明波長に対して、支持体の所定領域内で満足され、これは、簡単な観察によって見出され得る。
【００５５】
平面（ｎ１、ｋ１）内で移動するために、実際には多層によるものでもよく、それによって、設計者に大きい自由度を与えるコントラスト増幅層の組成、および／または通常はＵＶ（λ＝２００ｎｍ）から近赤外線（λ＝２ｎｍ）までの、システムの光学素子によって許可される範囲にわたって照明波長を調整することが可能である。ＵＶおよび赤外線波長は、より良好なコントラスト、および適宜、探される種特有のコントラストを得るために、視覚化された分子の自然吸収帯を活用することを可能にするという利点を有する。例として、図６のＡｕ曲線は、金の層に対するｎ１およびｋ１の値を、範囲３５０〜７５０ｎｍ内で変動する照明波長の関数として示す。
【００５６】
金は、生物学的センサのためのノルムを構成するため、この場合は特に興味深い。ナノ粒子からなる金フィルムの場合、これは、これが形成される粒子の濃度および密度を調整することによってｎ１およびｋ１を調整することが可能であるため、特に有利である。
【００５７】
説明してきた原理は、低コントラストの微小物体を観察することを可能にする。これはまた、化学種または生物学的種を検出しおよび／または定量的に決定するためのバイオチップを生成することも可能にする。たとえば、図８に示すように、官能基化層ＣＦをコントラスト増幅層上に堆積することが可能である。官能基化層は溶液Ｓに接触させられ、この溶液は、たとえば、水性であり、検出される化学種または生物学的種ＥＣＤを含む。後者は、官能基化層によって結合され、観察される試料を構成する追加の薄い層ＣＥを形成する。実際には、バイオチップの場合、複数の異なる官能基化スポットが、堆積され、異なる化学種または生物学的種を選択的に結合させることを可能にする。顕微鏡下、上記で説明した状態下でバイオチップを観察することにより、溶液中に実際に存在する種を容易に特定することが可能である。
【００５８】
検出の感度は、結合された種がそれ自体、照明の有用な波長に対して少なくともわずかに光学的に吸収性である場合、たとえば、その指数の虚部が、０．０００１より大きく、好ましくは０．００１より大きく、好ましくは０．０１より大きい場合に大幅に改良される。
【００５９】
コントラストはまた、コントラスト増幅層が、前記スポットに対応する位置においてのみ堆積される場合に増大される。
【００６０】
好ましくは、スポットの外側には、前記水溶液中に含まれるいかなる化学種または生物学的種の結合も防止する不動態化層が、企図され得る。たとえば、金の場合にチオールで官能基化された、ポリエチレングリコール、フッ素化ポリマー、またはフッ素化アルキルが、たとえば使用され得る。この不動態化層は、スポットの生成後に蒸着によって堆積され得る。
【００６１】
化学種または生物学的種を検出しまたは堆積させることが望まれる場合、官能基化層が設けられただけの基板を使用することも可能である。
【００６２】
図９に示す第１の実施形態によれば、官能基化層は、検出されるまたは定量的に決定される化学種または生物学的種ＥＣＤを含む溶液と接触させられ、この化学種または生物学的種ＥＣＤは、金属ナノ粒子ＮＰＭで標識され、前記官能基化層と結合し、それによって金属層ＣＭを形成することができる。この層は、実際には非連続的になり得るが、これは、ナノ粒子の直径のほんの一部でよい有効厚さ、および有効屈折率によって可視光の波長のスケール（数百ナノメ−トル）上で連続的に見える。観察は、上記で説明したやり方で実施され、こうして形成された金属層は、コントラスト増幅層および試料の両方としての役割を果たす。溶液と官能基化された層との間の所定の接触時間に関して、金属層の厚さは、化学種または生物学的種の内容物によって決まり、それによって、定量的決定を実施することを可能にする。
【００６３】
変形形態として、金属ナノ粒子は、吸収性ラベル、たとえば蛍光性分子で置き換えられてよい（蛍光発光は、それ自体活用されないが、蛍光性分子は吸水性が強いことに留意されたい）。
【００６４】
第１の実施形態の欠点は、これが、標識された化学種または生物学的種の検出のみを可能にすることである。以下の実施形態は、この欠点を有さない。
【００６５】
第２の実施形態によれば（図１０）、官能基化された層は、検出されるまたは定量的に決定される化学種または生物学的種を含む第１の溶液Ｓ１と接触して置かれ、それによって「中間」層ＣＩを形成する。この中間層は、観察できない。これを露出させるために、これは、「補助的な」化学種または生物学的種ＥＣＡを含む第２の溶液Ｓ２に接触させられ、この「補助的な」化学種または生物学的種ＥＣＡは、金属ナノ粒子（または吸水性ラベル）で標識され、前記中間層と結合し、それによって金属製（または吸水性）の層ＣＭを形成することができる。
【００６６】
この技術は、検出される種が、官能基化層を満たすのに十分な量で存在し、他方では補助種が過剰に存在する場合に定量的になることができる。この場合、実際には、層ＣＭの有効厚さおよび有効指数、したがって、観察される光信号の強度は、検出される種の濃度によって決まる。
【００６７】
この第２の実施形態は、検出される化学種または生物学的種が、少なくとも２つの活性部位を有する場合にのみ使用可能であり、したがってこれは、たとえば、ハプテンには適用しない。加えて、これは、実施することが非常に複雑である。
【００６８】
以下の実施形態は、この欠点を有さない。
【００６９】
第３の実施形態によれば（図１１）、官能基化された層は、中間種ＥＣＩと呼ばれる化学種または生物学的種を含む第１の溶液（Ｓ１）と接触して置かれ、この化学種または生物学的種は、金属ナノ粒子または吸水性ラベルで標識され、前記官能基化層と結合し、それによって前記連続的または非連続的な金属製または吸水性の層（ＣＭ）を形成することができる。次に、結果として生じた組立体は、検出されるまたは定量的に決定される化学種または生物学的種を含む、前記中間種のものより大きい前記官能基化層との親和性を有する第２の溶液（Ｓ２）と接触させられる。したがって、中間種は変位され、前記金属製または吸収性の層は、少なくとも部分的に無くされ、これは、光信号における低減によって反映される。この技術は、定量的ではなく定性的であり、したがって、定量的決定よりも検出に適している。この手法の利点は、その２つのステップを分離でき、支持体には、すでに形成された、化学的または生物学的センサとしてすぐに使用される層ＣＭが設けられ得ることである。
【００７０】
第４の実施形態（図１２）によれば、前記官能基化層は、定量的に決定される化学種または生物学的種と、前記競合の化学種または生物学的種ＥＣＣも含む溶液Ｓと接触して置かれ、２つの種のうち１つ（好ましくは競合種）は、金属ナノ粒子または吸水性ラベルで標識される。したがって、金属製または吸水性の層ＣＭが得られ、その有効厚さおよび有効屈折率は、前記競合の化学種または生物学的種の濃度と、定量的に決定される前記化学種または生物学的種のものとの間の比によって決まる。他の実施形態にように、信号は、この有効厚さおよび有効屈折率によって決まる。
【００７１】
化学種または生物学的種は、たとえば、抗体、光源、タンパク質、微生物などでよい。
【００７２】
金属製または吸収性である代わりに、ラベルは、散乱性ラベルでよい。実際、散乱の効果は、虚部を有する屈折率によって表され得ることが知られている。
【００７３】
上記で説明した検出または定量的決定のための技術はまた、官能基化層が、上記で説明したようにコントラスト増幅層上に堆積される場合も適用する。官能基化された層、および適宜、コントラスト増幅層は、スポットとして構造化されてよく、これらのスポットの外側の表面は、上記で説明したように不動態化されてよい。
【図１】
0006294880.tif 000005
【図２】
0006294880.tif 000006
【図３】
0006294880.tif 000007
【図４−１】
0006294880.tif 000008
【図４−２】
0006294880.tif 000009
【図４−３】
0006294880.tif 000010
【図４−４】
0006294880.tif 000011
【図４−５】
0006294880.tif 000012
【図４−６】
0006294880.tif 000013
【図４−７】
0006294880.tif 000014
【図４−８】
0006294880.tif 000015
【図４−９】
0006294880.tif 000016
【図４−１０】
0006294880.tif 000017
【図４−１１】
0006294880.tif 000018
【図４−１２】
0006294880.tif 000019
【図４−１３】
0006294880.tif 000020
【図４−１４】
0006294880.tif 000021
【図４−１５】
0006294880.tif 000022
【図４−１６】
0006294880.tif 000023
【図４−１７】
0006294880.tif 000024
【図４−１８】
0006294880.tif 000025
【図４−１９】
0006294880.tif 000026
【図４−２０】
0006294880.tif 000027
【図４−２１】
0006294880.tif 000028
【図４−２２】
0006294880.tif 000029
【図４−２３】
0006294880.tif 000030
【図４−２４】
0006294880.tif 000031
【図４−２５】
0006294880.tif 000032
【図４−２６】
0006294880.tif 000033
【図４−２７】
0006294880.tif 000034
【図４−２８】
0006294880.tif 000035
【図４−２９】
0006294880.tif 000036
【図４−３０】
0006294880.tif 000037
【図４−３１】
0006294880.tif 000038
【図４−３２】
0006294880.tif 000039
【図４−３３】
0006294880.tif 000040
【図４−３４】
0006294880.tif 000041
【図４−３５】
0006294880.tif 000042
【図４−３６】
0006294880.tif 000043
【図４−３７】
0006294880.tif 000044
【図４−３８】
0006294880.tif 000045
【図４−３９】
0006294880.tif 000046
【図４−４０】
0006294880.tif 000047
【図４−４１】
0006294880.tif 000048
【図４−４２】
0006294880.tif 000049
【図４−４３】
0006294880.tif 000050
【図４−４４】
0006294880.tif 000051
【図４−４５】
0006294880.tif 000052
【図４−４６】
0006294880.tif 000053
【図４−４７】
0006294880.tif 000054
【図４−４８】
0006294880.tif 000055
【図４−４９】
0006294880.tif 000056
【図４−５０】
0006294880.tif 000057
【図４−５１】
0006294880.tif 000058
【図４−５２】
0006294880.tif 000059
【図４−５３】
0006294880.tif 000060
【図４−５４】
0006294880.tif 000061
【図４−５５】
0006294880.tif 000062
【図４−５６】
0006294880.tif 000063
【図５】
0006294880.tif 000064
【図６】
0006294880.tif 000065
【図７】
0006294880.tif 000066
【図８】
0006294880.tif 000067
【図９】
0006294880.tif 000068
【図１０】
0006294880.tif 000069
【図１１】
0006294880.tif 000070
【図１２】
0006294880.tif 000071